(57)【要約】【課題】表示品位の良好な液晶表示装置を提供することを目的とする。【解決手段】ホモジニアス配向した液晶分子を含む液晶表示パネルＬＰＮの一方の外面に設けられ、第１偏光板５１、ネマティック液晶分子を液晶状態において法線方向に沿ってハイブリッド配向した状態で固定化させた第１位相差板ＲＦ１、第２位相差板ＲＦ２、を含む第１光学素子ＯＤ１と、液晶表示パネルの他方の外面に設けられ、第２偏光板５２からなる第２光学素子ＯＤ２と、を備えたことを特徴とする。【選択図】図３
2008176282.tif 000002
【特許請求の範囲】
【請求項１】
互いに対向して配置された第１基板と第２基板との間にホモジニアス配向した液晶分子を含む液晶層を保持した液晶表示パネルと、
前記液晶表示パネルの一方の外面に設けられ、第１偏光板、及び、この第１偏光板と前記液晶表示パネルとの間に配置された第１位相差板及び第２位相差板を含む第１光学素子と、
前記液晶表示パネルの他方の外面に設けられた第２偏光板を含む第２光学素子と、を備え、
前記第１位相差板は、所定波長の光に所定の位相差を与えるとともにネマティック液晶分子を法線方向に沿ってハイブリッド配向した状態で固定化させた液晶フィルム層を有することを特徴とする液晶表示装置。
【請求項２】
前記第１光学素子は、液晶層に略直線偏光の偏光状態を有する光が入射するように自身を通過する光の偏光状態を制御することを特徴とする請求項１に記載の液晶表示装置。
【請求項３】
前記第１位相差板は、前記第２位相差板及び前記液晶表示パネルの外面にそれぞれ接する前記液晶フィルム層によって構成されたことを特徴とする請求項１に記載の液晶表示装置。
【請求項４】
前記液晶層の残留位相差と前記第１位相差板の正面位相差との和は、前記第２位相差板の正面位相差と略等しいことを特徴とする請求項１に記載の液晶表示装置。
【請求項５】
前記第１光学素子において、前記第１偏光板の吸収軸と前記第２位相差板の遅相軸とのなす角度が略４５度に設定され、前記第１位相差板の遅相軸と前記液晶層に含まれる液晶分子のダイレクターとが略平行に設定され、且つ、前記第１位相差板の遅相軸と前記第２位相差板の遅相軸とのなす角度が略９０度に設定され、
前記第２光学素子において、前記第２偏光板の吸収軸と前記第１偏光板の吸収軸とのなす角度が略９０度に設定されたことを特徴とする請求項１に記載の液晶表示装置。
【請求項６】
前記第２光学素子は、前記第２偏光板と前記液晶表示パネルとの間に第３位相差板を含み、
前記第３位相差板は、その面内での互いに直交する方位の屈折率をそれぞれｎｘ及びｎｙとし、その法線方位の屈折率をｎｚとしたときに、ｎｘ＝ｎｙ＞ｎｚの関係の屈折率異方性を有することを特徴とする請求項１に記載の液晶表示装置。
【請求項７】
さらに、前記第１光学素子側から前記液晶表示パネルを照明するバックライトユニットを備えたことを特徴とする請求項１に記載の液晶表示装置。
【発明の詳細な説明】
【技術分野】
【０００１】
この発明は、液晶表示装置に係り、特に、ホモジニアス配向した液晶分子を含む液晶層を備えた透過型の液晶表示装置に関する。
【背景技術】
【０００２】
ツイステッドネマティック（ＴＮ）モードの液晶表示装置と同様に正面から見た場合の表示特性が優れている垂直配向（ＶＡ；Ｖｅｒｔｉｃａｌｌｙ Ａｌｉｇｎｅｄ）モードの液晶表示装置において、視野角補償用位相差フィルムを適用することで、広い視野角特性を実現する技術が提案されている（例えば、特許文献１参照）。
【０００３】
また、ＳＴＮ（Ｓｕｐｅｒ Ｔｗｉｓｔｅｄ Ｎｅｍａｔｉｃ）モードなどの液晶表示装置において適用可能な２軸性の複屈折フィルムを製造する技術が提案されている（例えば、特許文献２参照）。
【特許文献１】特開２００５−０９９２３６号公報
【特許文献２】特開２００５−１８１４５１号公報
【発明の開示】
【発明が解決しようとする課題】
【０００４】
近年、一対の基板間にホモジニアス配向した液晶分子を含む液晶層を保持することによって構成された液晶表示装置においては、さらなるコントラストの向上及び視野角の拡大といった表示品位の改善が要求されている。また、その一方で、装置全体の薄型化及び低コスト化が要求されている。
【０００５】
この発明は、上述した問題点に鑑みなされたものであって、その目的は、薄型化及び低コスト化が可能であるとともに、表示品位の良好な液晶表示装置を提供することにある。
【課題を解決するための手段】
【０００６】
この発明の態様による液晶表示装置は、
互いに対向して配置された第１基板と第２基板との間にホモジニアス配向した液晶分子を含む液晶層を保持した液晶表示パネルと、
前記液晶表示パネルの一方の外面に設けられ、第１偏光板、及び、この第１偏光板と前記液晶表示パネルとの間に配置された第１位相差板及び第２位相差板を含む第１光学素子と、
前記液晶表示パネルの他方の外面に設けられた第２偏光板を含む第２光学素子と、を備え、
前記第１位相差板は、所定波長の光に所定の位相差を与えるとともにネマティック液晶分子を法線方向に沿ってハイブリッド配向した状態で固定化させた位相差板であることを特徴とする。
【発明の効果】
【０００７】
この発明によれば、薄型化及び低コスト化が可能であるとともに、表示品位の良好な液晶表示装置を提供することができる。
【発明を実施するための最良の形態】
【０００８】
以下、この発明の一実施の形態に係る液晶表示装置について図面を参照して説明する。ここでは、バックライト光を選択的に透過して画像を表示する透過表示部を備えた液晶表示装置を例に説明する。
【０００９】
図１及び図２に示すように、液晶表示装置は、アクティブマトリクスタイプのカラー液晶表示装置であって、透過型の液晶表示パネルＬＰＮを備えている。この液晶表示パネルＬＰＮは、アレイ基板（第１基板）ＡＲと、アレイ基板ＡＲに対向して配置された対向基板（第２基板）ＣＴと、これらのアレイ基板ＡＲと対向基板ＣＴとの間に保持された液晶層ＬＱと、を備えて構成されている。
【００１０】
また、この液晶表示装置は、液晶表示パネルＬＰＮの一方の外面（すなわちアレイ基板ＡＲの液晶層ＬＱと接触する面とは反対側の面）に設けられた第１光学素子ＯＤ１、及び、液晶表示パネルＬＰＮの他方の外面（すなわち対向基板ＣＴの液晶層ＬＱと接触する面とは反対側の面）に設けられた第２光学素子ＯＤ２を備えている。さらに、この液晶表示装置は、第１光学素子ＯＤ１側から液晶表示パネルＬＰＮを照明するバックライトユニットＢＬを備えている。
【００１１】
このような液晶表示パネルＬＰＮは、画像を表示する表示領域ＤＳＰを備えている。表示領域ＤＳＰは、ｍ×ｎ個のマトリクス状に配置された複数の画素ＰＸによって構成されている。
【００１２】
アレイ基板ＡＲは、ガラス板や石英板などの光透過性を有する絶縁基板１０を用いて形成されている。すなわち、このアレイ基板ＡＲは、表示領域ＤＳＰにおいて、画素毎に配置されたｍ×ｎ個の画素電極ＥＰ、これらの画素電極ＥＰの行方向に沿ってそれぞれ形成されたｎ本の走査線Ｙ（Ｙ１〜Ｙｎ）、これらの画素電極ＥＰの列方向に沿ってそれぞれ形成されたｍ本の信号線Ｘ（Ｘ１〜Ｘｍ）、各画素ＰＸにおいて走査線Ｙと信号線Ｘとの交差部を含む領域に配置されたｍ×ｎ個のスイッチング素子Ｗなどを有している。
【００１３】
アレイ基板ＡＲは、さらに、表示領域ＤＳＰの周辺の駆動回路領域ＤＣＴにおいて、ｎ本の走査線Ｙに接続された走査線ドライバＹＤを構成する少なくとも一部、及び、ｍ本の信号線Ｘに接続された信号線ドライバＸＤを構成する少なくとも一部を備えている。走査線ドライバＹＤは、コントローラＣＮＴによる制御に基づいてｎ本の走査線Ｙに順次走査信号（駆動信号）を供給する。また、信号線ドライバＸＤは、コントローラＣＮＴによる制御に基づいて各行のスイッチング素子Ｗが走査信号によってオンするタイミングでｍ本の信号線Ｘに映像信号（駆動信号）を供給する。これにより、各行の画素電極ＥＰは、対応するスイッチング素子Ｗを介して供給される映像信号に応じた画素電位にそれぞれ設定される。
【００１４】
各スイッチング素子Ｗは、例えば、ｎチャネル薄膜トランジスタであり、絶縁基板１０の上に配置された半導体層１２を備えている。この半導体層１２は、例えば、ポリシリコンやアモルファスシリコンなどによって形成可能であり、ここではポリシリコンによって形成されている。半導体層１２は、チャネル領域１２Ｃを挟んだ両側にそれぞれソース領域１２Ｓ及びドレイン領域１２Ｄを有している。この半導体層１２は、ゲート絶縁膜１４によって覆われている。
【００１５】
スイッチング素子Ｗのゲート電極ＷＧは、走査線Ｙに接続されている（あるいは走査線Ｙと一体的に形成されている）。ゲート電極ＷＧ及び走査線Ｙは、ともにゲート絶縁膜１４上に配置されている。これらのゲート電極ＷＧ、及び、走査線Ｙは、層間絶縁膜１６によって覆われている。
【００１６】
スイッチング素子Ｗのソース電極ＷＳ及びドレイン電極ＷＤは、層間絶縁膜１６上においてゲート電極ＷＧの両側に配置されている。ソース電極ＷＳは、信号線Ｘに接続される（あるいは信号線Ｘと一体に形成される）とともに、半導体層１２のソース領域１２Ｓにコンタクトしている。ドレイン電極ＷＤは、画素電極ＥＰに接続される（あるいは画素電極ＥＰと一体に形成される）とともに、半導体層１２のドレイン領域１２Ｄにコンタクトしている。これらのソース電極ＷＳ、ドレイン電極ＷＤ、及び信号線Ｘは、有機絶縁膜１８によって覆われている。
【００１７】
画素電極ＥＰは、有機絶縁膜１８上に配置され、有機絶縁膜１８に形成されたコンタクトホールを介してドレイン電極ＷＤと電気的に接続されている。この画素電極ＥＰは、インジウム・ティン・オキサイド（ＩＴＯ）などの光透過性を有する導電材料によって形成されている。すべての画素ＰＸに対応した画素電極ＥＰは、配向膜２０によって覆われている。
【００１８】
一方、対向基板ＣＴは、ガラス板や石英板などの光透過性を有する絶縁基板３０を用いて形成されている。すなわち、この対向基板ＣＴは、表示領域ＤＳＰにおいて、対向電極ＥＴなどを備えている。対向電極ＥＴは、複数の画素ＰＸに対応して画素電極ＥＰに対向するように配置されている。この対向電極ＥＴは、ＩＴＯなどの光透過性を有する導電材料によって形成されている。また、この対向電極ＥＴは、配向膜３６によって覆われている。
【００１９】
カラー表示タイプの液晶表示装置は、各画素に対応して液晶表示パネルＬＰＮの内面に設けられたカラーフィルタ層３４を備えている。図２に示した例では、カラーフィルタ層３４は、対向基板ＣＴに設けられている。カラーフィルタ層３４は、互いに異なる複数の色、例えば赤色、青色、緑色といった３原色にそれぞれ着色された着色樹脂によって形成されている。赤色着色樹脂、青色着色樹脂、及び緑色着色樹脂は、それぞれ赤色画素、青色画素、及び緑色画素に対応して配置されている。なお、このようなカラーフィルタ層３４は、アレイ基板ＡＲ側に配置しても良い。
【００２０】
また、各画素ＰＸは、図示しないブラックマトリクスによって区画されている。このブラックマトリクスは、アレイ基板ＡＲに設けられた走査線Ｙや信号線Ｘ、スイッチング素子Ｗなどの配線部に対向するように配置されている。
【００２１】
このような対向基板ＣＴと、上述したようなアレイ基板ＡＲとをそれぞれの配向膜２０及び配向膜３６を対向するように配置したとき、両者の間に配置された図示しないスペーサ（例えば樹脂材料によって形成された柱状スペーサ）により、所定のギャップが形成される。液晶層ＬＱは、これらのアレイ基板ＡＲの配向膜２０と対向基板ＣＴの配向膜３６との間に形成されたギャップに封入された液晶分子４０を含む液晶組成物によって構成されている。この実施の形態では、液晶層ＬＱは、ツイスト角が０ｄｅｇ（ホモジニアス配向）の液晶分子４０を含んでいる。
【００２２】
この実施の形態に係る液晶表示装置においては、図３に示すように、第１光学素子ＯＤ１及び第２光学素子ＯＤ２は、これらを通過した光の偏光状態を制御する。すなわち、第１光学素子ＯＤ１は、限りなく直線偏光に近い楕円偏光の偏光状態を有する光が液晶層ＬＱに入射するように自身を通過する光の偏光状態を制御する。したがって、第１光学素子ＯＤ１に入射したバックライト光の偏光状態は、第１光学素子ＯＤ１を通過した際に所定の偏光状態に変換される。その後、第１光学素子ＯＤ１から出射されたバックライト光は、所定の偏光状態を保って液晶層ＬＱに入射する。そして、液晶層ＬＱに黒表示のための電圧（黒表示電圧）を印加した場合、液晶表示パネルＬＰＮに入射した光の偏光状態は、液晶層ＬＱの位相差の影響を受けて略直線偏光の偏光状態に変化される。
【００２３】
また、第２光学素子ＯＤ２は、液晶層ＬＱに直線偏光（あるいは限りなく直線偏光に近い楕円偏光）の偏光状態を有する光が入射するように自身を通過する光の偏光状態を制御する。したがって、第２光学素子ＯＤ２に入射した光の偏光状態は、第２光学素子ＯＤ２を通過した際に所定の偏光状態すなわち直線偏光に変換される。
【００２４】
つまり、第１光学素子ＯＤ１及び液晶表示パネルＬＰＮを透過した光の偏光状態は、第２光学素子ＯＤ２を透過した光と略同一の楕円率（＝短軸方向の振幅Ｅｓ／長軸方向の振幅Ｅｐ）を有する略直線偏光である。ここで、略直線偏光とは、楕円率が０．１以下、望ましくは０．０２以下の偏光状態を有する光である。このような構成により、液晶表示パネルＬＰＮの法線方向におけるコントラストの向上が可能となるとともに、視野角の拡大が可能となる。
【００２５】
以下に、より具体的に各構成を説明する。
【００２６】
第１光学素子ＯＤ１は、１つの第１偏光板５１と、第１偏光板５１と液晶表示パネルＬＰＮとの間に配置された第１位相差板ＲＦ１及び第２位相差板ＲＦ２と、を備えて構成されている。図３に示した例では、第１位相差板ＲＦ１は、第１偏光板５１と液晶表示パネルＬＰＮ（アレイ基板ＡＲ）との間に配置されている。また、第２位相差板ＲＦ２は、第１偏光板５１と第１位相差板ＲＦ１との間に配置されている。
【００２７】
第２光学素子ＯＤ２は、１つの第２偏光板５２によって構成されている。
【００２８】
ここで適用される第１偏光板５１及び第２偏光板５２は、光の進行方向に直交する平面内において、互いに直交する吸収軸及び透過軸を有している。このような偏光板は、ランダムな方向の振動面を有する光から、透過軸と平行な１方向の振動面を有する光すなわち直線偏光の偏光状態を有する光を取り出すものである。
【００２９】
ここで適用される第１位相差板ＲＦ１は、光学的に異方性を有する位相差板であり、図４Ａに示すように、光学的に正の１軸性の屈折率異方性を有するネマティック液晶分子６１を液晶状態において法線方向（すなわち位相差板の厚み方向）に沿ってハイブリッド配向した状態で固定化させた液晶フィルム層６０を有している。
【００３０】
このような液晶フィルム層６０において、例えば、アレイ基板ＡＲ側の界面近傍では、液晶分子６１Ａが界面に対して比較的大きなチルト角をなすように配向している（すなわち液晶分子６１Ａが界面とほぼ垂直に配向している）のに対して、第２位相差板ＲＦ２側の界面近傍では、液晶分子６１Ｂが界面に対して比較的小さなチルト角をなすように配向している（すなわち液晶分子６１Ｂが界面に対してほぼ平行に配向している）。つまり、液晶表示パネルＬＰＮにおいて、電圧印加時にアレイ基板ＡＲ側での液晶分子の配向方位と、第１位相差板ＲＦ１に含まれる液晶分子のハイブリッド方向とは、１８０°異なる。
【００３１】
このような第１位相差板ＲＦ１としては、ＮＨフィルム（新日本石油（株）製）が適用可能である。このような液晶フィルムは、液晶層ＬＱに含まれる液晶分子４０の配向により視角に依存して変化する液晶層ＬＱのリタデーションを光学的に補償する機能を有しており、視野角拡大機能を有した位相差板に相当する。
【００３２】
屈折率異方性を有する液晶分子４０の配列が印加電圧に応じて変化する液晶層ＬＱや、屈折率異方性を有する位相差板において、複屈折を議論する上では、相対的に屈折率の大きな軸が遅相軸に対応し、相対的に屈折率の小さな軸が進相軸に対応する。遅相軸は、異常光線の振動面と一致するものとする。進相軸は、常光線の振動面と一致するものとする。液晶層ＬＱを通過する常光線及び異常光線の屈折率をそれぞれｎｏ及びｎｅとし、それぞれの光線の進行方向に沿った液晶層ＬＱの厚さをｄとしたとき、液晶層ＬＱの位相差（リタデーション）は、Δｎ・ｄ（ｎｍ）＝（ｎｅ・ｄ−ｎｏ・ｄ）で定義される（つまり、Δｎ＝ｎｅ−ｎｏ）。また、位相差板については、互いに直交する３つの軸に対応した主屈折率を適用し、位相差板の面内での互いに直交する軸に対応した主屈折率をそれぞれｎｘ及びｎｙとし、その法線方向（すなわち位相差板の厚み方向）の軸に対応した主屈折率をｎｚとしたとき、位相差板の厚みをｄとすると、位相差板の正面位相差（正面リタデーション）は、Ｒ＝（ｎｘ−ｎｙ）・ｄで定義される。
【００３３】
第１光学素子ＯＤ１に含まれる第１位相差板ＲＦ１及び第２位相差板ＲＦ２は、それぞれ互いに直交する遅相軸及び進相軸を有しており、それぞれ所定の正面位相差を有している。
【００３４】
すなわち、この第１位相差板ＲＦ１は、上述した視野角拡大機能のほかに、液晶分子６１の配向方位（ダイレクター）を遅相軸とし、それに直交する方位を進相軸とし、これらをそれぞれ透過する所定波長（例えば５５０ｎｍ）の光の間に所定の位相差（λを波長とし、ｍを正数としたとき、λ／ｍの位相差）を与える位相差板としての機能を有している。
【００３５】
また、第２位相差板ＲＦ２は、進相軸及び遅相軸を透過する所定波長（例えば５５０ｎｍ）の光の間に所定の位相差（λを波長とし、ｎを正数としたとき、λ／ｎの位相差）を与えるいわゆる位相差板である。このような第２位相差板ＲＦ２としては、ゼオノア（（株）オプテス製）や、アートン（ＪＳＲ製）などが適用可能である。
【００３６】
第１光学素子ＯＤ１においては、第１偏光板５１の吸収軸Ａ１、第１位相差板ＲＦ１の面内の遅相軸Ｄ１、及び、第２位相差板ＲＦ２の面内の遅相軸Ｄ２がそれぞれ所定の角度の関係を有するように各構成要素が配置されている。すなわち、第２位相差板ＲＦ２は、その遅相軸Ｄ２が第１偏光板５１の吸収軸Ａ１に対して略４５°をなすように第１偏光板５１上に配置されている。第１位相差板ＲＦ１は、その遅相軸Ｄ１が第２位相差板ＲＦ２の遅相軸Ｄ２に対して略９０°をなすように第２位相差板ＲＦ２上に配置されている。第１光学素子ＯＤ１を液晶表示パネルＬＰＮに配置する場合には、第１光学素子ＯＤ１は、視野角拡大機能を有する第１位相差板ＲＦ１の遅相軸Ｄ１が液晶層ＬＱの液晶分子４０のダイレクター（アレイ基板ＡＲ側の配向膜２０のラビング方向）と略平行となり、かつ、第１位相差板ＲＦ１において液晶分子６１がハイブリッド配向する方向とアレイ基板ＡＲ側の配向膜２０のラビング方向とが逆方向になるように配置されている。
【００３７】
また、第２光学素子ＯＤ２においては、第２偏光板５２は、その吸収軸Ａ２が第１偏光板５１の吸収軸Ａ１と直交する（略９０度をなす）ように配置されている。
【００３８】
このような構成により、第１光学素子ＯＤ１は、所定の楕円率を有する楕円偏光あるいは略直線偏光に変換する機能及び視野角を拡大する機能を有している。また、第２光学素子ＯＤ２は、第１光学素子ＯＤ１と液晶表示パネルＬＰＮとを透過した光の楕円率と略同等の楕円率を有する略直線偏光に変換する機能を有している。
【００３９】
特に、位相差板を構成する複屈折材料は、その主屈折率が光の波長に依存する特性を有している。このため、位相差板の位相差Ｒは、通過する光の波長に依存することになる。そこで、上述したように、少なくとも２種類の位相差板を組み合わせた構成の第１光学素子ＯＤ１を適用することにより、位相差Ｒの波長依存性を緩和することが可能となり、カラー表示に利用されるすべての波長範囲において、所定の位相差を付与して所望の偏光状態を形成している。
【００４０】
すなわち、第１光学素子ＯＤ１を通過したバックライト光は、略直線偏光に変換され、液晶層ＬＱに入射する。この略直線偏光の長軸方向を仮にＸ軸と平行であるとする。液晶層ＬＱにおいて、電圧無印加時（あるいは低電圧印加時）に液晶層ＬＱに入射した略直線偏光に対してλ／２の位相差を付与することにより、液晶層ＬＱを通過した光は、液晶層に入射する略直線偏光と直交する直線偏光に変換される。つまり、この直線偏光の振動面はＸ軸に直交するＹ軸と平行となる。したがって、第２光学素子ＯＤ２において、Ｘ軸と平行な吸収軸を有する第２偏光板５２を適用することにより、他の位相差板を適用することなしに液晶層ＬＱを通過した直線偏光を高透過率で透過させることができる（白表示）。
【００４１】
これに対して、液晶層ＬＱにおいて、電圧印加時（あるいは高電圧印加時）に液晶層ＬＱに入射した略直線偏光に対して付与する位相差を略ゼロとすることにより、液晶層ＬＱを通過した光は、液晶層に入射する前の略直線偏光と同等の偏光状態を維持している。つまり、この略直線偏光の振動面はＸ軸と平行となる。したがって、第２光学素子ＯＤ２において、Ｘ軸と平行な吸収軸を有する第２偏光板５２を適用することにより、他の位相差板を適用することなしに液晶層ＬＱを通過した直線偏光を高吸収率で吸収させることができる（黒表示）。このように、第２光学素子ＯＤ２は、位相差板を適用することなく第２偏光板５２のみで構成されるため、薄型化及び低コスト化が可能となるとともに良好な光学特性を得ることが可能となる。
【００４２】
次に、更なる良好な光学特性を得るための手法、特に黒表示時の光学補償について、第１光学素子ＯＤ１における第１位相差板ＲＦ１の正面位相差Ｒ（ＲＦ１）及び第２位相差板ＲＦ２の正面位相差Ｒ（ＲＦ２）と、黒表示時における液晶層ＬＱの残留位相差Ｒ（ＬＱ）との関係について検討する。
【００４３】
ここで、液晶層ＬＱの残留位相差Ｒ（ＬＱ）について説明する。液晶層ＬＱに黒表示のための電圧（黒表示電圧）を印加した場合、液晶層ＬＱの断面において、基板界面から離れた中央部（ミッドプレーン）に位置する液晶分子４０は、電界の方向にその長軸方向がほぼ平行となるように配列している。このため、液晶層ＬＱのミッドプレーンの正面位相差は実質的にゼロ（ｎｍ）とみなすことができる。しかしながら、基板界面に隣接して配向した液晶分子４０は、界面の配向規制力（アンカリング）の影響を受け、電圧に対する応答が鈍く、ほぼ初期の配向状態を維持している。このため、液晶層ＬＱの基板界面近傍での正面位相差はゼロ（ｎｍ）とはならない。したがって、黒表示のために十分に高い黒表示電圧を液晶層ＬＱに印加しても、基板界面のアンカリングの影響により液晶層ＬＱには正面位相差が残ることになる。これを一般に残留位相差と称している。
【００４４】
本実施の形態においては、（１）適用される液晶層ＬＱ、第１位相差板ＲＦ１、及び、第２位相差板ＲＦ２は、いずれも正の位相差を有していること、（２）液晶層ＬＱにおける液晶分子４０のダイレクターと第１位相差板ＲＦ１の遅相軸Ｄ１とがほぼ平行に設定されること、（３）第１位相差板ＲＦ１の遅相軸Ｄ１と第２位相差板ＲＦ２の遅相軸Ｄ２とが略９０度の角度に設定されることから、第１光学素子ＯＤ１における第１位相差板ＲＦ１の正面位相差Ｒ（ＲＦ１）及び第２位相差板ＲＦ２の正面位相差Ｒ（ＲＦ２）と、液晶層ＬＱの残留位相差Ｒ（ＬＱ）と、を合せたトータルの位相差Ｒ（ｔｏｔａｌ）は、Ｒ（ｔｏｔａｌ）＝Ｒ（ＬＱ）＋Ｒ（ＲＦ１）−Ｒ（ＲＦ２）で表せる。
【００４５】
この式において、Ｒ（ｔｏｔａｌ）がゼロとなること、つまり、Ｒ（ＬＱ）＋Ｒ（ＲＦ１）＝Ｒ（ＲＦ２）となるように各々の位相差を設定することにより、第１光学素子ＯＤ１と液晶層ＬＱとの間で光学補償を実現することが可能となる。すなわち、この実施の形態においては、第１光学素子ＯＤ１のみでバックライト光の偏光状態を略直線偏光に変換するのではなく、液晶層ＬＱの残留位相差を考慮して液晶表示パネルＬＰＮから出射された出射光の偏光状態を略直線偏光（楕円率＜０．１）に変換するものである。
【００４６】
つまり、液晶層ＬＱの残留位相差と第１位相差板ＲＦ１の正面位相差との和が第２位相差板ＲＦ２の正面位相差と略等しくなるように設定することにより、バックライトユニットＢＬからのバックライト光が第１光学素子ＯＤ１及び黒表示時の液晶層ＬＱを透過した後に、限りなく直線偏光に近い偏光状態を有する光に変換することが可能となる。したがって、上述したような白表示の場合のみならず、黒表示の場合であっても第１光学素子ＯＤ１及び液晶層ＬＱを通過した光の偏光状態を極めてゼロに近い楕円率を有するような直線偏光に近づけることができるため、第２光学素子ＯＤ２において第２偏光板５２を適用するのみで、良好な光学特性を得ることが可能となる。
【００４７】
次に、第１光学素子ＯＤ１及び第２光学素子ＯＤ２の液晶表示パネルＬＰＮへの配置について検討する。
【００４８】
ここでは、対向基板ＣＴ側から液晶表示装置を観察した図４Ｂに基づき説明する。アレイ基板ＡＲ（または対向基板ＣＴ）の主面に平行な平面内において、便宜上、互いに直交するＸ軸及びＹ軸を定義し、この平面の法線方向をＺ軸と定義する。面内とは、Ｘ軸及びＹ軸で規定される平面内に相当する。ここで、例えば、Ｘ軸は画面の水平方向に対応し、Ｙ軸は画面の垂直方向に対応するものとする。また、Ｘ軸の正（＋）の方向（０°方位）が画面の右側に対応し、Ｘ軸の負（−）の方向（１８０°方位）が画面の左側に対応するものとする。さらに、Ｙ軸の正（＋）の方向（９０°方位）が画面の上側に対応し、Ｙ軸の負（−）の方向（２７０°方位）が画面の下側に対応するものとする。
【００４９】
液晶表示パネルＬＰＮにおいては、アレイ基板ＡＲ側の配向膜２０のラビング方向は、Ｘ軸に対して４５°の方位に設定されている。
【００５０】
第１光学素子ＯＤ１の液晶表示パネルＬＰＮへの配置は、配向膜２０のラビング方向に基づいて設定される。すなわち、第１位相差板ＲＦ１は、その遅相軸Ｄ１が配向膜２０のラビング方向とほぼ平行となるように４５°−２２５°の方位を向くように配置される。このとき、第１位相差板ＲＦ１に含まれる液晶分子のハイブリッド方向は、配向膜２０のラビング方向とは逆方向となる２２５°の方位を向いている。また、第２位相差板ＲＦ２の遅相軸Ｄ２は、第１位相差板ＲＦ１の遅相軸Ｄ１とほぼ直交する（つまり、１３５°の方位を向く）ように配置される。さらに、第１偏光板５１は、その吸収軸Ａ１が第１位相差板ＲＦ１及び第２位相差板ＲＦ２の遅相軸に対しそれぞれ略４５°の角度をなすように、例えば９０°−２７０°の方位を向くように配置される。
【００５１】
一方、第２光学素子ＯＤ２の液晶表示パネルＬＰＮへの配置については、例えば黒表示時の液晶層ＬＱを透過した略直線偏光の方位（この場合にはＸ軸と平行な方位）に基づいて設定される。すなわち、第２光学素子ＯＤ２においては、第２偏光板５２は、その吸収軸Ａ２が第１光学素子ＯＤ１及び液晶層ＬＱを透過した後の光の偏光状態（略直線偏光）の楕円長軸方向に対して略平行となるように配置される。すなわち、第２偏光板５２は、その吸収軸Ａ２が０°−１８０°の方位を向くように配置すればよい。
【００５２】
図５は、液晶層ＬＱに黒表示の電圧（例えば、４．８Ｖ）を印加した時に、バックライト光が上述した構成の第１光学素子ＯＤ１及び液晶層ＬＱを透過した後の光の偏光状態を示したものである。このように、黒表示の状態では第１光学素子ＯＤ１及び液晶層ＬＱを透過した後の光の偏光状態は、その長軸方向の振幅（Ｅｐ）に対して短軸方向の振幅（Ｅｓ）が限りなく小さく、その楕円率は０．０１７程度であった。また、このような略直線偏光の長軸方向はほぼ０°の方位（Ｘ軸）になることがわかった。このことから、品位良好な黒画像を表示するためには、第２偏光板５２の吸収軸Ａ２は０°の方位に設定することが望ましいことがわかる。
【００５３】
（実施例）  
次に、この実施の形態に係る液晶表示装置の実施例について説明する。この液晶表示装置は、例えば、以下のようにして設計される。
【００５４】
液晶表示パネルＬＰＮについて、液晶層ＬＱは、ホモジニアス配向した液晶分子を含む液晶組成物で構成されており、例えば、液晶組成物としてＭＪ０４１１１３（メルク社製、Δｎ＝０．０６５）を適用した。このとき、液晶分子４０のダイレクター（液晶分子の長軸方向）は、アレイ基板ＡＲ側の配向膜２０のラビング方向によって規制され、Ｘ軸に対して４５°の角度をなすように設定した。また、液晶層ＬＱにおけるギャップは４．９μｍに設定した。なお、黒表示を実現するために液晶層ＬＱに印加する電圧は４．８（Ｖ）に設定され、この時、液晶層ＬＱの残留位相差は６０（ｎｍ）であった。
【００５５】
まず、液晶分子４０に起因する複屈折を補償するために、アレイ基板ＡＲの外面に配置すべき第１光学素子ＯＤ１の第１位相差板ＲＦ１の遅相軸Ｄ１（すなわち第１位相差板ＲＦ１を構成する液晶分子６１の配向方位）を逐次補償の関係になるようにアレイ基板ＡＲのラビング方向とほぼ逆平行な方位（例えば２２５°の方位）に設定する。なお、第１位相差板ＲＦ１の正面位相差は、例えば１００ｎｍに設定した。
【００５６】
続いて、第２位相差板ＲＦ２の遅相軸Ｄ２は、液晶分子４０及び第１位相差板ＲＦ１の遅相軸Ｄ１とほぼ垂直な方位（例えば１３５°の方位）に設定する。なお、第２位相差板ＲＦ２の正面位相差は、液晶層ＬＱの残留位相差と第１位相差板ＲＦ１の正面位相差との和に相当するように、例えば１６０ｎｍに設定した。
【００５７】
続いて、第１偏光板５１の吸収軸Ａ１は、第１位相差板ＲＦ１の遅相軸Ｄ１及び第２位相差板ＲＦ２の遅相軸Ｄ２とほぼ４５°で交差するような方位（例えば９０°の方位）に設定する。
【００５８】
一方、対向基板ＣＴ側の外面に配置すべき第２光学素子ＯＤ２の第２偏光板５２の吸収軸Ａ２は、第１偏光板５１の吸収軸Ａ１とほぼ直交するような方位（例えば０°の方位）に設定する。上述した位相差板の遅相軸の方位及び偏光板の吸収軸の方位は、図４Ｂに示したように、Ｘ軸との成す角度で規定している。
【００５９】
なお、液晶層ＬＱの残留位相差Ｒ（ＬＱ）、第１位相差板ＲＦ１の位相差Ｒ（ＲＦ１）、及び、第２位相差板ＲＦ２の位相差Ｒ（ＲＦ２）は、これらの値に限定されるものではなく、Ｒ（ＬＱ）＋Ｒ（ＲＦ１）＝Ｒ（ＲＦ２）の関係を満足するものであれば、全てにおいて同様な結果となる。
【００６０】
第１位相差板ＲＦ１は、平均傾斜角βが３７度のＮＨフィルム（新日本石油（株）製）を適用した。ここで、平均傾斜角βとは、深さ方向の主屈折率ｎｚが法線方向に対してなす角度として定義し、簡易的には〔（高チルト角＋低チルト角）／２＋低チルト角〕で与えられる値として定義する。上述した第１位相差板ＲＦ１において、例えば、図４Ａに示したように、「高チルト角」とはハイブリッド配向した液晶分子のうちアレイ基板主面に対して最も大きな傾きを持って立ち上がった液晶分子６１Ａのチルト角（主面に対する傾き）に相当し、また、「低チルト角」とはハイブリッド配向した液晶分子のうちアレイ基板主面に対して最も小さな傾きを持って立ち上がった液晶分子６１Ｂのチルト角に相当する。第２位相差板ＲＦ２は、ゼオノア（（株）オプテス製）を適用した。
【００６１】
このような実施例によれば、コントラスト比の視野角依存性を測定したところ、図６に示すような結果が得られた。ここで、コントラスト比の視野角依存性に関する測定結果を示す図においては、中心が液晶表示パネルＬＰＮの法線方向に相当し、法線方向を中心とした同心円は、法線に対する倒れ角度（視角）が１０°〜８０°に相当する。ここで示した特性図は、各方位について等コントラスト比の領域を結ぶことで得られたものである。
【００６２】
図６に示したように、実施例によれば、等コントラスト比（ＣＲ）＝１０：１の視野角範囲は、画面の上下及び画面の左右でともに１６０°と十分な広視野角化を実現できていることが確認できた。また、画面の法線方向でのコントラストは４００であった。
【００６３】
一方、図７Ａは比較例１の構成を示す図であり、液晶表示パネルＬＰＮの構成は実施例と同一であるが、第１光学素子ＯＤ１は第１偏光板、１／２波長板、及び、平均傾斜角βが２８度のＮＨフィルムを備えて構成され、また、第２光学素子ＯＤ２は第２偏光板、１／２波長板、及び、１／４波長板を備えて構成されたものである。
【００６４】
図７Ｂは、図７Ａに示した構成の比較例１のコントラスト比の視野角依存性を測定した結果を示したものであるが、等コントラスト比（ＣＲ）＝１０：１の視野角範囲は、画面上下／画面左右でそれぞれ１４０／１４５°であった。また、画面の法線方向でのコントラストは２５０であり、実施例より劣る結果であった。
【００６５】
この実施例によれば、画面の法線方向でのコントラスト及び等コントラスト比の視野角範囲のいずれにおいても改善が確認された。なお各々の測定については、画面の法線方向でのコントラストはＢＭ５−Ａ（トプコン社製）で測定し、視野角特性はＥｚ−Ｃｏｎｔｒａｓｔ（ＥＬＤＩＭ社製）で測定した。
【００６６】
次に、本実施の形態と同様な考え方に基づく図８に示した構成を比較例２として、本実施の形態との違いを明確化するとともに、本実施の形態において良好な視野角特性が得られる理由について説明する。
【００６７】
本実施の形態と図８に示した比較例２との相違点は、本実施の形態では第２位相差板ＲＦ２が第１光学素子ＯＤ１に含まれているのに対し、比較例２では第２位相差板ＲＦ２が第２光学素子ＯＤ２に含まれている点だけであり、液晶層ＬＱ、第１光学素子ＯＤ１における第１偏光板５１と第１位相差板ＲＦ１との軸角度の関係、第１位相差板ＲＦ１と液晶層ＬＱに含まれる液晶分子４０のダイレクターとの軸角度の関係、第１位相差板ＲＦ１の正面位相差Ｒ（ＲＦ１）、第１位相差板ＲＦ１の平均傾斜角などは全て同一である。また、第２光学素子ＯＤ２に含まれる第２偏光板５２の吸収軸Ａ２の液晶表示パネルＬＰＮへの配置角度、第２光学素子ＯＤ２に含まれる第２位相差板ＲＦ２の正面位相差Ｒ（ＲＦ２）、第２位相差板ＲＦ２の遅相軸Ｄ２と第１位相差板ＲＦ１の遅相軸Ｄ１との軸角度の関係も全て同一に設定されている。したがって、本実施の形態と、図８に示す比較例２と、の正面でのＴ−Ｖ特性（つまり、液晶層ＬＱに印加する電圧に対する透過率の関係）は同一になることは明確である。
【００６８】
図９Ａは本実施の形態の視野角特性のシミュレーション結果を示したものであり、図９Ｂは比較例２の視野角特性のシミュレーション結果を示したものである。これらの結果から、両者は、正面においては略同一の特性を有していながら視野角特性においては全く異なり、本実施の形態が良好な視野角特性を示すのに対し、比較例２では視野角が狭くなることがわかる。
【００６９】
この結果を説明するために、各々の構成について、バックライト光が第１光学素子ＯＤ１及び液晶層ＬＱを透過した後の光の偏光状態と、外光が第２光学素子ＯＤ２を透過した後の光の偏光状態と、の一致性について解析を実施した。
【００７０】
液晶層ＬＱには、黒表示のために所定の電圧（＝４．８Ｖ）が印加されているとする。図１０Ａは本実施の形態における画面の上下方向における両者の一致性を示した特性図であり、図１０Ｂは比較例２における画面の上下方向における両者の一致性を示した特性図である。横軸は画面の上下方向での法線に対するなす角度であり、縦軸は偏光状態を示すパラメーターとして波長５５０ｎｍにおける楕円率である。また、図中の「Ａ」はバックライト光が第１光学素子ＯＤ１及び液晶層ＬＱを透過した後の光の偏光状態に対応し、「Ｂ」は外光が第２光学素子ＯＤ２を透過した後の光の偏光状態に対応している。
【００７１】
液晶層ＬＱの液晶分子方位は４５度に設定されているので、図１０Ａ及び図１０Ｂにおいては画面の上下方向の視野角特性を示しているが、画面の左右方向においても同様の視野角特性を示す。良好な視野角補償を実現するためには、バックライト光が第１光学素子ＯＤ１及び液晶層ＬＱを透過した後の光の偏光状態と、外光が第２光学素子ＯＤ２を透過した後の光の偏光状態と、がほぼ一致していることが重要である。
【００７２】
図１０Ａより明らかなように本実施の形態では両者がほぼ一致しているのに対し、図１０Ｂに示したように比較例２では視野角の増大と共に両者が大きく乖離していることがわかる。また、比較例２の正面の偏光状態は、楕円率＞０．７の楕円偏光であるのに対して、本実施の形態の正面の偏光状態は、楕円率＜０．１と略直線偏光に近い偏光状態であることがわかる。つまり、本実施の形態においては主として直線偏光（あるいは比較的小さな楕円率の楕円偏光）を利用しているのに対して、比較例２においては主として円偏光（あるいは比較的大きな楕円率の楕円偏光）を利用している点で相違する。
【００７３】
比較例２のように画面の法線方向において比較的大きな楕円率の楕円偏光を適用する場合には、通常、第２光学素子ＯＤ２に主屈折率ｎｘ、ｎｙ、ｎｚがｎｘ＝ｎｙ＞ｎｚの関係を有する第３位相差板ＲＦ３（ネガティブＣプレート；ｎ−Ｃ）を追加するか、もしくは、第２位相差板ＲＦ２として、ｎｘ＞ｎｙ＞ｎｚの関係を有する負の二軸性フィルム（ＮＢ）を適用しなければ、良好な表示品位が得られない。
【００７４】
図１１Ａは、比較例２の構成において、第２光学素子ＯＤ２と液晶層ＬＱとの間に第３位相差板としてネガティブＣプレート（日東電工（株）製）を配置した場合の視野角特性図を示したものである。なお、ネガティブＣプレートにおいて、「Ｒｔｈ＝［（ｎｘ−ｎｙ）／２−ｎｚ］×フィルム膜厚」で定義される法線方向の位相差（Ｒｔｈ）は８０ｎｍに設定した。
【００７５】
また、図１１Ｂは、第２光学素子ＯＤ２と液晶層ＬＱとの間にネガティブＣプレート（Ｒｔｈ＝８０ｎｍ）を配置した構成について、バックライト光が第１光学素子ＯＤ１及び液晶層ＬＱを透過した後の光の偏光状態及び外光が第２光学素子ＯＤ２を透過した後の偏光状態の一致性を示したものである。両者の一致性は良好であり、視野角特性においても良好な特性を示すことがわかる。
【００７６】
それに対し、本実施の形態では、バックライト光が第１光学素子ＯＤ１及び液晶層ＬＱを透過した後の光の偏光状態において、画面の法線方向で楕円率＜０．１となる直線偏光に近い楕円偏光に変換することが可能になるため、第２光学素子ＯＤ２としてネガティブＣプレート（ｎ−Ｃ）や負の二軸フィルム（ＮＢ）を適用しなくても、第２偏光板５２のみで視野角補償が可能となる。このため、薄型化及び低コスト化が可能であるとともに、高品位の液晶表示装置の提供が可能となる。
【００７７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００７８】
例えば、スイッチング素子Ｗがｎチャネル薄膜トランジスタで構成された例について説明したが、同様の各種駆動信号を発生できる構成であれば、他の構成であっても良い。
【００７９】
また、第２光学素子ＯＤ２は、第２偏光板５２と液晶表示パネルＬＰＮとの間にネガティブＣプレートに相当する第３位相差板を含んでいてもよい。すなわち、図１２Ａに示すように、変形例に係る液晶表示装置において、第２光学素子ＯＤ２は、１つの第２偏光板５２と、第２偏光板５２と液晶表示パネルＬＰＮとの間に配置された第３位相差板ＲＦ３と、によって構成されている。
【００８０】
この第３位相差板ＲＦ３は、その面内での互いに直交する方位の屈折率をそれぞれｎｘ及びｎｙとし、その法線方位の屈折率をｎｚとしたときに、ｎｘ＝ｎｙ＞ｎｚの関係の屈折率異方性を有するものである。なお、この第３位相差板ＲＦ３において、法線方向の位相差Ｒｔｈは８０ｎｍに設定した。
【００８１】
このような構成の変形例においては、図１２Ｂに示すように、第３位相差板ＲＦ３を配置しない実施例の構成（すなわち図３に示した構成）におけるコントラスト比の視野角依存性の測定結果（すなわち図６の測定結果）と比較して、低コントラスト比の領域（例えばＣＲ＝１０：１）としては、概ね同等の視野角が得られたが、高コントラスト比の領域（例えばＣＲ＝５０：１以上）としては、第３位相差板ＲＦ３を配置しない実施例の構成の方が広い視野角を得られることがわかる。また、図示しないが、第３位相差板ＲＦ３として、負の二軸フィルム（ＮＢ）を適用しても図１２Ｂに示したのと同等の特性が得られる。
【００８２】
上述した結果に基づくと、特に、高コントラスト比の領域を拡大するためには、第２光学素子がネガティブＣプレートまたは負の二軸フィルムからなる第３位相差板を備えた構成よりも、実施例の構成（すなわち第２光学素子がネガティブＣプレート及び負の二軸フィルムのいずれも含まない構成）の方が有利であることが確認された。
【００８３】
また、上述した実施の形態において、第１位相差板ＲＦ１は、液晶フィルム層６０のみによって構成することが望ましい。すなわち、実施例においては、第１位相差板ＲＦ１は、第２位相差板ＲＦ２及び液晶表示パネルＬＰＮの外面（つまりアレイ基板ＡＲを構成する絶縁基板１０の外面）にそれぞれ接する液晶フィルム層６０によって構成されている。ＮＨフィルムのようなハイブリッド配向した液晶分子を含む液晶フィルム層を備えた位相差板は、ベースフィルム上に配向処理を施し、液晶材料を塗布した後に、液晶分子が所定の配向状態を維持した状態で硬化することによって得られる。ベースフィルムとしてはトリアセテートセルロース（ＴＡＣ）が広く利用されている。しかしながら、ベースフィルム自身が位相差を有しており、良好な光学補償を実現するためにはこのベースフィルムの位相差も加味して補償する必要がある。そこで、上述した実施例のように、ベースフィルムレスのＮＨフィルムを適用することにより、簡単に光学補償を実現することができる。なお、参考までに、実施例と同一構成でありながらベースフィルム有りのＮＨフィルムを第１位相差板ＲＦ１として適用した場合のコントラスト比の視野角依存性を測定したところ、図１３に示すような結果が得られた。
【００８４】
低コントラスト比の領域（例えばＣＲ＝１０：１）としては、図６に示したベースフィルムレスの実施例の構成と概ね同等の視野角が得られたが、高コントラスト比の領域（例えばＣＲ＝５０：１以上）としては、ベースフィルムレスの実施例の構成の方が広い視野角を得られることがわかる。上述した結果に基づくと、特に、高コントラスト比の領域を拡大するためには、ベースフィルム（ＴＡＣ）を有する第１位相差板ＲＦ１を適用した構成よりも、実施例の構成（ベースフィルムレス（ＴＡＣ無し）の第１位相差板ＲＦ１を適用した構成）の方が有利であることが確認された。
【００８５】
また、上述した実施の形態において、第１位相差板ＲＦ１としては、平均傾斜角βが比較的大きいもの、例えばβ＝３７度程度の液晶フィルム層６０を有するものを適用することが望ましい。なお、参考までに、実施例と同一構成でありながらβ＝２８度の液晶フィルム層を有する第１位相差板（ＮＨフィルム）を適用した場合のコントラスト比の視野角依存性を測定したところ、図１４に示すような結果が得られた。
【００８６】
低コントラスト比の領域（例えばＣＲ＝１０：１）としては、図６に示したβ＝３７度の実施例の構成と概ね同等の視野角が得られたが、高コントラスト比の領域（例えばＣＲ＝５０：１以上）としては、β＝３７度の実施例の構成の方が広い視野角を得られることがわかる。上述した結果に基づくと、特に、高コントラスト比の領域を拡大するためには、平均傾斜角が小さい液晶フィルムを有する第１位相差板ＲＦ１を適用した構成よりも、実施例の構成（平均傾斜角が大きい液晶フィルムを有する第１位相差板ＲＦ１を適用した構成）の方が有利であることが確認された。
【図面の簡単な説明】
【００８７】
【図１】図１は、この発明の一実施の形態に係る液晶表示装置の構成を概略的に示す図である。
【図２】図２は、図１に示した液晶表示装置の断面構造を概略的に示す図である。
【図３】図３は、図２に示した液晶表示装置に適用可能な第１光学素子及び第２光学素子の構成を概略的に示す図である。
【図４Ａ】図４Ａは、電圧印加時における液晶表示パネルの液晶分子の配向と、第１位相差板の液晶分子の配向との関係を説明するための図である。
【図４Ｂ】図４Ｂは、図３に示した各位相差板の遅相軸の方位及び各偏光板の吸収軸の方位を説明するための図である。
【図５】図５は、本実施の形態に係る液晶表示装置において、バックライト光が第１光学素子及び液晶層を透過した後の偏光状態を示した特性図である。
【図６】図６は、本実施の形態の実施例に係る液晶表示装置におけるコントラスト比の視野角依存性を測定した特性図である。
【図７Ａ】図７Ａは、比較例１に係る液晶表示装置の構成を概略的に示す図である。
【図７Ｂ】図７Ｂは、比較例１に係る液晶表示装置におけるコントラスト比の視野角依存性を測定した特性図である。
【図８】図８は、比較例２に係る液晶表示装置の構成を概略的に示す構成図である。
【図９Ａ】図９Ａは、本実施の形態の実施例に係る液晶表示装置におけるコントラスト比の視野角依存性をシミュレーションした特性図である。
【図９Ｂ】図９Ｂは、比較例２の液晶表示装置におけるコントラスト比の視野角依存性をシミュレーションした特性図である。
【図１０Ａ】図１０Ａは、本実施の形態の実施例において、バックライト光が第１光学素子及び液晶層を透過した後の偏光状態の画面の上下方向における楕円率の変化と、外光が第２光学素子を透過した後の偏光状態の上下方向の楕円率の変化とのマッチングを示した特性図である。
【図１０Ｂ】図１０Ｂは、比較例２において、バックライト光が第１光学素子及び液晶層を透過した後の偏光状態の画面の上下方向における楕円率の変化と、外光が第２光学素子を透過した後の偏光状態の上下方向の楕円率の変化とのマッチングを示した特性図である。
【図１１Ａ】図１１Ａは、比較例２において、第２光学素子と液晶層との間にネガティブＣプレートを配置した場合の、コントラスト比の視野角依存性を測定した特性図である。
【図１１Ｂ】図１１Ｂは、比較例２において、第２光学素子と液晶層との間にネガティブＣプレートを配置した場合の、バックライト光が第１光学素子及び液晶層を透過した後の偏光状態の上下方向における楕円率の変化と外光が第２光学素子を透過した後の偏光状態の上下方向の楕円率の変化とのマッチングを示した特性図である。
【図１２Ａ】図１２Ａは、本実施の形態の変形例に相当し、第２偏光板と液晶層との間に第３位相差板（ネガティブＣプレート）を配置した構成例の第２光学素子を適用した液晶表示装置の構成を概略的に示す構成図である。
【図１２Ｂ】図１２Ｂは、図１２Ａに示した変形例におけるコントラスト比の視野角依存性を測定した特性図である。
【図１３】図１３は、本実施の形態において、第１位相差板としてベースフィルムを備えたＮＨフィルムを適用した構成例の、コントラスト比の視野角依存性を測定した特性図である。
【図１４】図１４は、本実施の形態において、第１位相差板として平均傾斜角が２８度のＮＨフィルムを適用した構成例の、コントラスト比の視野角依存性を測定した特性図である。
【符号の説明】
【００８８】
ＬＰＮ…液晶表示パネル、ＡＲ…アレイ基板、ＣＴ…対向基板、ＬＱ…液晶層、ＯＤ１…第１光学素子、ＯＤ２…第２光学素子、５１…第１偏光板、ＲＦ１…第１位相差板、ＲＦ２…第２位相差板、５２…第２偏光板、ＢＬ…バックライトユニット、ＰＸ…画素
【図１】
2008176282.tif 000003
【図２】
2008176282.tif 000004
【図３】
2008176282.tif 000005
【図４Ａ】
2008176282.tif 000006
【図４Ｂ】
2008176282.tif 000007
【図５】
2008176282.tif 000008
【図６】
2008176282.tif 000009
【図７Ａ】
2008176282.tif 000010
【図７Ｂ】
2008176282.tif 000011
【図８】
2008176282.tif 000012
【図９Ａ】
2008176282.tif 000013
【図９Ｂ】
2008176282.tif 000014
【図１０Ａ】
2008176282.tif 000015
【図１０Ｂ】
2008176282.tif 000016
【図１１Ａ】
2008176282.tif 000017
【図１１Ｂ】
2008176282.tif 000018
【図１２Ａ】
2008176282.tif 000019
【図１２Ｂ】
2008176282.tif 000020
【図１３】
2008176282.tif 000021
【図１４】
2008176282.tif 000022